(57)【要約】      （修正有） 【課題】車両用のエアコンが、使用年数や使用頻度から起こるホコリや塵やカビなどの雑菌が堆積し不衛生となった場合において、車両の利用者が容易に専門的な洗浄用具を使用し車両用のエアコンの洗浄作業を可能とする車両用エアコンクリーニングステーションカーを提供する。【解決手段】利用者が、車両用エアコンの洗浄作業を、移動先でセルフサービス方式にて行える様に洗浄用の洗浄用スプレーガンを用いて洗浄作業及び抗菌作業を行える機能を搭載した洗浄機械４を車両の荷台１に積載したクリーニングステーションカーであり、この洗浄機械４は、液晶画面での案内機能を備えているセルフ式の洗浄を目的とした移動式の機械設備である。【選択図】図１
0003198172.tif 000002
【実用新案登録請求の範囲】
【請求項１】
利用者にセルフサービスにて車両用エアコンのクリーニング作業を行わせる移動式の車両用エアコンクリーニングステーションカーであって、前記車両用エアコンクリーニングステーションカーは、利用者によるクリーニングの作業内容に応じた料金支払いと、エアコンのクリーニング作業工程の説明及び作業手順の案内を表示する操作装置と、この操作装置からの指令により動作して残り使用時間が確認可能であり、車両用エアコンの送風口とブロアーファンに向け洗浄作業を行うスプレーガンを備えた洗浄機械を車両の荷台に積載し洗浄作業を可能にしたことを特徴とする車両用エアコンクリーニングステーションカー。
【請求項２】
利用者が前記洗浄機械で車両用エアコンを洗浄し、洗浄車両のエアコン排水ドレンから排出された汚水を貯留して汚水の状況を確認できる汚水貯留槽を備えたことを特徴とする
請求項１に記載の車両用エアコンクリーニングステーションカー。
【考案の詳細な説明】
【技術分野】
【０００１】
本考案は、移動式にて車両のエアコンの洗浄をセルフ式で行えるクリーニングステーションに関する。
【背景技術】
【０００２】
自動車等のエアコンは、よくエアコン始動時に嫌な臭いがすることがある。その嫌な臭いの原因は、車外から持ち込んだホコリ等が車内で循環していたり、外気から枯葉や塵などを吸気してしまっていたり、冷房時に起きる水滴が後にカビとなったものが、エアコン内に堆積しているからである。自動車のエアコンは、ホコリや塵を吸気しやすい車両の構造と、車両特有の気密性によって高温多湿になりやすい条件もあり、汚れが堆積しやすくカビ等の雑菌も繁殖しやすい環境にもなっている。またそれらは、車両の使用頻度や使用期間とともに増える一方である。エアコンフィルター交換であれば、一般ユーザーでも車内のグローブボックスを開ければ、大概の国産車はフィルター交換が出来る設計となっているが、フィルター交換だけでは車両用エアコン本体の汚れやカビを除去することはできない。さらに車両用エアコンの構造は、車内の空間が限られていることもあり、一般ユーザーが専用の道具も無しに容易に掃除をできる設計となっている車両は存在しないと言える。
【０００３】
同じエアコンでも家庭用エアコンであれば表面のカバーが容易に開閉できるので簡易的な清掃であれば可能であるが、車両用のエアコンの洗浄については、車両の複雑な構造によって、一般ユーザーが汚れの元となっている箇所を確認する事さえ困難である。  
【０００４】
車両用エアコンの洗浄用具としてスプレー缶タイプの専用クリーナーなども市販されているが、スプレー缶の噴射力では洗浄液を噴射している程度で、堆積した汚れそのものを除去するには至っていない。また、カー用品店や自動車整備工場の一部では車両用のエアコン洗浄を行う洗浄業者も存在しているので、業者に洗浄を依頼することも可能だが、まだ普及していないので洗浄業者が少ない。または予約が必要であるので利用者の時間が拘束されるなどの背景もあり、車両の利用者がエアコンを汚れたまま使用している不衛生な環境となっている。
【先行技術文献】
【特許文献】
【０００５】
【特許文献１】特開２００５−３２９７５０
【特許文献２】特開昭２００１−９６２０３
【考案の概要】
【考案が解決しようとする課題】
【０００６】
解決しようとする問題点は、送風口、ブロアーファン、エバポレーターという熱交換装置、ヒーターなどで構成されている車両のエアコン本体が、ホコリや塵といった様々な汚れやカビ等の雑菌が堆積した場合において、車両の複雑な設計が障害となり、一般ユーザーには容易に洗浄または清掃が出来ないので不衛生な状態になっている。
【課題を解決するための手段】
【０００７】
上記課題を解決するために、本考案の車両用エアコンクリーニングステーションカーは、利用者がセルフサービスで車両用エアコンのクリーニング作業を行う移動式の車両用エアコンクリーニングステーションカーであって、前記移動式車両用エアコンクリーニングステーションカーは、利用者による入力操作を受け付けてエアコンのクリーニング作業工程を案内表示する操作装置と、この操作装置からの指令により動作する洗浄作業用の洗浄液と濯ぎ作業用の水と抗菌作業用の抗菌液を高圧にて噴射するスプレーガンを備えた洗浄機械を車両の荷台に積載し洗浄作業を可能にしたことを特徴とする。
さらに、前記車両用エアコンクリーニングステーションカーは、利用者が前記洗浄機械で車両用エアコンを洗浄し、洗浄車両のエアコン排水ドレンから排出された汚水を貯留して汚水の状況を確認できる汚水貯留槽を備えたことを特徴とする。
【考案の効果】
【０００８】
本考案の車両用エアコンのセルフクリーニングステーションカーによれば、トラック等の荷台にセルフサービスにて車両用エアコンの洗浄が可能となるよう液晶画面式の案内機能が備わった洗浄装置を搭載した機械設備と、それらの動力源と、給水及び排水設備を積載してある移動可能なクリーニングステーションカーであるため、利用者は、移動先で容易に車両用エアコンの洗浄作業を行うことができる。
【図面の簡単な説明】
【０００９】
【図１】本考案の車両用エアコンクリーニングステーションカーの上面図、側面図及び背面図を示す。
【図２】本考案の車両用エアコンクリーニングステーションカーの側面パネルと背面パネルを外し内部の機械装置を開示した上面図、側面図及び背面図を示す。
【図３】本考案の車両用エアコンクリーニングステーションカーに搭載する洗浄機械を示す。
【図４】本考案の車両用エアコンクリーニングステーションカーに搭載する洗浄機械の操作装置の操作フローチャートを示す。
【図５】本考案の車両用エアコンクリーニングステーションカーの操作装置の作業説明の画面を示す。
【図６】本考案の車両用エアコンクリーニングステーションカーの操作装置の洗浄作業開始の画面を示す。
【図７】本考案の車両用エアコンクリーニングステーションカーの洗浄機械の洗浄作業用のスプレーガンの側面図、正面図を示す。
【図８】車両のダッシュパネルを示す。
【図９】本考案の車両用エアコンクリーニングステーションカーの操作装置の濯ぎ作業開始の画面を示す。
【図１０】本考案の車両用エアコンクリーニングステーションカーの操作装置の抗菌作業開始の画面を示す。
【図１１】本考案の車両用エアコンクリーニングステーションカーの汚水貯留槽の平面図、断面図を示す。
【考案を実施するための形態】
【００１０】
移動先でセルフサービスにて車両用エアコンの洗浄を行うために、利用者が料金の支払い及び作業手順を液晶画面による案内によって進めることが出来る機能を備え、かつ洗浄作業用の洗浄液と抗菌作業用の抗菌液をコンプレッサーの圧力を利用し、それらを噴射させる洗浄用のスプレーガンを搭載した洗浄機械を、車両の荷台に積載し洗浄作業が可能となる移動式のクリーニングステーションカーである。
【実施例】
【００１１】
図１は、本考案の車両用エアコンクリーニングステーションカーの箱型荷台１に洗浄機械４が積載されたトラック車両２の全体を示す上面図、側面図及び背面図であり、洗浄機械用開閉パネル３を回動し、利用者が洗浄機械４にて洗浄作業が可能な状態である。該洗浄機械４は、箱型荷台１の左右両側に積載されており、料金支払いと作業工程を案内するタッチパネル方式を用いた液晶画面の操作装置５と、洗浄作業用のスプレーガンを備えた洗浄装置６を搭載している。
図２は、本考案の車両用エアコンクリーニングカーの箱型荷台の側面パネルと背面パネルらを全て外し、内部の装置を開示した状態である。
洗浄機械４の電源は、発電機７から供給され、給水は２５０リットル貯水可能である貯水タンク８から給水される。また洗浄液タンク９には洗浄液が、抗菌液タンク１０には抗菌液が貯留されており、それらを圧縮エアーで噴射させるためにコンプレッサー１１が備わる。洗浄作業によって排出された汚水は５００リットル貯留可能である汚水貯留タンク１２に貯留される仕組みとなっている。
【００１２】
図３は、本考案の車両用エアコンクリーニングステーションカーにおいて、洗浄作業を行う利用者が、セルフサービスで洗浄作業を行える機能を持った洗浄機械４である。洗浄機械４の洗浄装置６には、洗浄作業用のスプレーガン１３が搭載してある。この洗浄用スプレーガン１３は、洗浄液及び抗菌液用のホースとコンプレッサー１１で圧縮されたエアー用のホース２本を束ねたホース１４と接続されており、ホース１４はホースリール１５に収納可能である。
また、図３において、１６はマイク、１７はスピーカー、１８は作業時間のカウンター、１９は紙幣用の料金投入口、２０は硬貨用の料金投入口、２１はレシート発行及び釣銭口である。
【００１３】
図４は、本考案の車両用エアコンクリーニングステーションカーの洗浄機械４の操作手順を示す操作フローチャートである。
車両用エアコン洗浄作業の利用者が洗浄機械４の前に立つと、操作装置５が人を感知し起動する。感知した操作装置５の液晶画面が図４のフローチャートで表すように、「作業選択の入力要求の表示２３」の画面に切り替わる。画面上に作業内容に応じた料金設定が表示されるので利用者は必要な作業内容を選び、必要金額を洗浄機械４の紙幣用の料金投入口１７または硬貨用の料金投入口１８に投入する。
【００１４】
金額の投入が完了して「確認２５」を実行後、図４のフローチャートの洗浄作業の簡単な説明を開始し、図５に示す操作装置５の「作業の説明２７」の画面に切り替わる。図５の画面右上に表示される「次の画面へ２９」をタッチすることにより、順番に作業内容を示す画面に切り替わる。作業の説明が必要ない場合は画面右下の「説明をスキップ２８」の文字をタッチすることにより、作業説明の手順を省き作業開始の画面に切り替えることが出来る。
【００１５】
作業の説明が終わると、操作装置５の画面が、図６の液晶画面に変わり、利用者が液晶画面の「洗浄作業を開始する３８」をタッチすることにより洗浄装置６が起動する。
図７は洗浄装置６に備えてあり、利用者が実際に洗浄、濯ぎ、抗菌作業を行うための洗浄用スプレーガン１３である。また、図８は車内のダッシュパネルである。洗浄用スプレーガン１３は、コンプレッサー１１で圧縮されたエアーがホース６８内を通り、ホース６９内の洗浄液と共に噴射される構造となっている。レバー７０を引くことで、先端ノズル７１から高圧で洗浄液が噴射され、車両のエアコン内のホコリや塵やカビなどの汚れが付着している吹き出し口７４とブロアーファン７８を高圧洗浄することが出来る。
洗浄工程は大きく３工程ある。第一の工程は、洗浄用のスプレーガン１３から噴射される洗浄液で車内のダッシュパネル７３にある吹き出し口７４とブロアーファン７８を洗浄する洗浄作業であり。第二の工程は、洗浄用のスプレーガン１３から噴射される水でダッシュパネル７３にある吹き出し口７４とブローファン７８を洗い流す濯ぎ作業である。第三の工程は、洗浄用のスプレーガン１３から噴射される抗菌液で車内のダッシュパネル７３にある吹き出し口７４とブロアーファン７８を抗菌する抗菌作業である。
【００１６】
作業開始にあたり、利用者は、備え付けのマスクとゴーグルを取り洗浄液やエアコン内の汚れの飛び跳ねを防ぐために装着する。通常の車両で４箇所あるダッシュパネル７３の吹き出し口７４を確認し、吹き出し口７４aに付いている開閉式のルーバー７５aを開いた状態とし、残りの３つのルーバー７５を閉めた状態にしておく。これはルーバー７５aを開けた状態の吹き出し口７４aから洗浄用のスプレーガン１３で洗浄液を噴射する際に、吹き出し口７４a以外からの逆噴射を防ぐためである。次に助手席側ダッシュパネル７３のグローブボックス７６を開け、中にあるエアコンフィルターのカバーと、その中に納まっているエアコンフィルターを取外し、フィルターの下もしくはその周辺に配置されているブロアーファン７８の位置を確認する。このブロアーファン７８は、熱交換器であるエバポレーターによって冷却された冷風や、ヒーターによって暖められた温風を、車内に送風する為の装置であり、特に汚れが付着している箇所でもある。
次に利用者は実際の洗浄作業に進むことになる。利用者は、洗浄装置６にある洗浄用のスプレーガン１３を手に取り、吹き出し口７４aの開閉式のルーバー７５aの隙間から洗浄用スプレーガン１３の先端ノズル７１を吹き出し口７４aの内部に向け、レバー７０を握り先端ノズル７１から洗浄液を噴射させ洗浄作業を行う。洗浄用スプレーガン１３のレバー７０を引くと、コンプレッサー１１により圧縮されたエアーがホース６８を通り、ホース６９内の洗浄液と共に先端ノズル７１から勢いよく噴射される。吹き出し口７４aの洗浄作業が終了したら、開閉式のルーバー７５aを閉め、吹き出し口７４ｂの開閉式のルーバー７５ｂを開けて洗浄作業を行う。吹き出し口７４ｃ、７４ｄともに同じ作業を繰返す。４つの吹き出し口７４内部の洗浄が終わったら、次に洗浄用スプレーガン１３の先端ノズル７１を、グローブボックス７６の中にあるフィルターカバーとフィルターを外して空いた窓７７から入れ、先端ノズル７１の噴射口をブロアーファン７８に向け洗浄液を噴射させる。利用者は、ブロアーファン７８全体を万遍なく洗浄し汚れを落とす。吹き出し口７４の洗浄時間の設定は４分間であり、ブロアーファン７８の洗浄時間は２分である。各々の洗浄時間が残り時間３０秒になるとブザーが鳴り、「残り時間は３０秒です」の音声で利用者に残りの作業時間を知らせる。また、作業中に一時的に作業を止めたい場合は、液晶画面の「一時停止」を押すことで洗浄装置の起動が停止する。この「一時停止」はその他の作業中でも共通で一時的に作業の中断が出来る。吹き出し口７４とブロアーファン７８の洗浄作業が終了すると、洗浄用のスプレーガン１３からの洗浄液の噴射の起動も終了する。
【００１７】
洗浄作業が終了すると、濯ぎ作業の説明が画面に出るが、必要ない場合は図５に示す操作装置５の画面右下の「スキップ２８」の文字をタッチすることにより、作業説明の手順を省き作業開始の画面に切り替わる事が出来る。
図９は操作装置５の濯ぎ作業を開始する為の画面であり、利用者は液晶画面の「濯ぎ作業を開始する４９」をタッチすることにより洗浄用のスプレーガン１３に接続のホース６９内に水が供給され濯ぎ作業が行える。
次に利用者は実際の濯ぎ作業に進むことになる。洗浄用のスプレーガン１３を、洗浄作業と同じく、ダッシュパネル７３にある４つの吹き出し口７４aの開閉式のルーバー７５aを開け、ルーバー７５aの隙間から洗浄用スプレーガン１３の先端ノズル７１を吹き出し口７４aの内部に向け、レバー７０を握り先端ノズル７１から水を噴射させ濯ぎ作業を行う。洗浄用スプレーガン１３のレバー７０を引くと、コンプレッサー１１により圧縮されたエアーがホース６８内を通り、ホース６９内の水と共に先端ノズル７１から勢いよく噴射される。洗浄作業と同じく、吹き出し口７４aの洗浄作業が終了したら、開閉式のルーバー７５aを閉め、吹き出し口７５ｂの開閉式のルーバー７５ｂを開けて濯ぎ作業を行う。吹き出し口７４ｃ、７４ｄともに同じ作業を繰返す。４つの吹き出し口７４内部の洗浄が終わったら、次に洗浄用スプレーガン１３の先端ノズル７１を、フィルターカバーとフィルターを外して空いた窓７７から入れ、先端ノズル７１の噴射口をブロアーファン７８に向け水を噴射させる。利用者はブロアーファン７８全体を万遍なく濯ぎ、洗浄液を洗い流す。吹き出し口７４の濯ぎ作業時間の設定は２間であり、ブロアーファン７８の濯ぎ作業時間の設定は１分である。各々の濯ぎ作業時間が残り時間３０秒になるとブザーが鳴り、「残り時間は１５秒です」の音声で利用者に残りの作業時間を知らせる。吹き出し口７４とブロアーファン７８の濯ぎ作業が終了すると、洗浄用のスプレーガン１３からの水の噴射の起動も終了する。
【００１８】
洗浄と濯ぎ作業を終えた利用者は、次の作業である抗菌作業に進むことになる訳だが、抗菌作業を選択するか選択しないかは、前述の図２のフローチャートで表す「作業選択の入力要求の表示２３」の画面にて選択可能である。
抗菌作業を選択した利用者は、図１０に示す操作装置５の「抗菌作業を開始する６０」をタッチすることにより洗浄用のスプレーガン１３に接続のホース６９内に抗菌液が供給され、抗菌作業に進むことになる。洗浄用のスプレーガン１３を、洗浄作業及び濯ぎ作業と同じく、吹き出し口７４aの開閉式のルーバー７５aの隙間から洗浄用スプレーガン１３の先端ノズル７１を吹き出し口７４a内部に向け、レバー７０を握り先端ノズル７１から抗菌液を噴射させる。洗浄用スプレーガン１３のレバー７０を引くと、コンプレッサー１１により圧縮されたエアーがホース６８内を通り、ホース６９内の抗菌液と共に先端ノズル７１から勢いよく噴射される。洗浄作業および濯ぎ作業と同じく、吹き出し口７４aの抗菌作業が終了したら、ルーバー７５aを閉め、吹き出し口７４ｂの開閉式ルーバー７５bを開けて抗菌作業を行う。吹き出し口７４ｃ、７４ｄともに同じ作業を繰返す。４つの吹き出し口７４内部の抗菌作業が終わったら、次に洗浄用スプレーガン１３の先端ノズル７１を、グローブボックス７６の中にあるフィルターカバーとフィルターを外して空いた窓７７から入れ、先端ノズル７１の噴射口をブロアーファン７８に向け抗菌液を噴射させる。利用者はブロアーファン７８全体に万遍なく抗菌剤が行きまわるように噴射する。吹き出し口７４の抗菌作業時間の設定は４分間であり、ブロアーファン７８の抗菌作業時間は２分である。各々の洗浄時間が残り時間３０秒になるとブザーが鳴り、「残り時間は３０秒です」の音声で利用者に残りの作業時間を知らせる。吹き出し口７４とブロアーファン７８の抗菌作業が終了すると、洗浄用のスプレーガン１３からの抗菌液の噴射の起動も終了し、利用者は操作装置５の指示に従って洗浄用のスプレーガン１３を洗浄装置６に戻す。ダッシュパネル７３付近に飛び散った洗浄液等を備え付けの布巾で拭き取る。これで洗浄機械４を使用した車両用エアコンの洗浄作業は完了となる。
【００１９】
図１１は、利用者が前述洗浄作業で洗い流した車両８３のエアコン内に堆積していたホコリや塵や雑菌などの汚れを確認できる汚水貯留槽７９である。汚水貯留槽７９は、車両用エアコンクリーニングステーションカーが移動式であるため、移動中は箱型荷台１に収納され、移動先にて箱型荷台から降ろして使用する。汚水貯留槽７９は、排水ドレン８４から排出された汚水８５を受ける貯留槽８０と、貯留槽８０から勾配の付いた水下側の貯留槽８１から構成されおり、勾配によって汚水８５が貯留槽８１に溜まる仕組みになっている。これにより利用者が、洗浄作業によって車両用エアコンから洗い流された汚水の状況を確認することが出来る。汚水貯留槽は、常に車両８３の移動ごとに踏みつける為、厚さ４ｍｍの鋼製であり、上部にはグレーチング８２が被さっている。貯留槽８１に溜まった汚水８５は、利用者が洗浄作業を終了した２分後には小型ポンプ８６が作動するように設定されており、小型ポンプ８６の吸引により排水管８７を通り汚水貯留タンク１２に貯留される。汚水貯留槽１２に貯留された汚水８５の処理は、洗浄業者が然るべき場所にて行うものとする。
【産業上の利用可能性】
【００２０】
本考案によれば、車両の使用者が今まで行なえなかったより専門的な車両用エアコンの洗浄作業を、セルフサービス方式にて作業が可能となる機械設備をトラックの荷台に積載した移動可能な車両用エアコンクリーニングステーションカーを利用することにより、移動先で多くの人が容易に車両用エアコンの洗浄を行うことが出来る。
【符号の説明】
【００２１】
１  箱型荷台
２  トラック
３  洗浄機械用開閉扉
４  洗浄機械
５  操作装置
６  洗浄装置
１３  洗浄用のスプレーガン
７４  吹出し口
７８  ブロアーファン
７９  汚水貯留槽
【図１】
0003198172.tif 000003
【図２】
0003198172.tif 000004
【図３】
0003198172.tif 000005
【図５】
0003198172.tif 000006
【図６】
0003198172.tif 000007
【図７】
0003198172.tif 000008
【図８】
0003198172.tif 000009
【図９】
0003198172.tif 000010
【図１０】
0003198172.tif 000011
【図１１】
0003198172.tif 000012
【図４】
0003198172.tif 000013